(57)【要約】【課題】燃料電池スタックからの排熱を有効に活用するとともに、改質器の耐久性を向上させることを可能にする。【解決手段】燃料電池システム１０は、燃料電池スタック１２と、熱交換器１４と、改質器１６と、前記燃料電池スタック１２、前記熱交換器１４及び前記改質器１６を収容する筐体１８とを備える。熱交換器１４は、燃料電池スタック１２からの排ガスと空気との間で熱交換を行うとともに、熱交換されて高温となった空気は、改質器１６を加熱した後、前記燃料電池スタック１２に供給される。【選択図】図１
2006179285.tif 000002
【特許請求の範囲】
【請求項１】
電解質をアノード電極とカソード電極とで挟んで構成される電解質・電極接合体とセパレータとが積層される燃料電池を設け、複数の前記燃料電池が積層される燃料電池スタックと、
酸化剤ガスを前記燃料電池スタックに供給する前に加熱する熱交換器と、
燃料を改質して燃料ガスを生成する改質器と、
前記燃料電池スタック、前記熱交換器及び前記改質器を収容する筐体と、
を備え、
前記熱交換器は、前記燃料電池スタックから排出される排ガスと前記酸化剤ガスとの間で熱交換を行うとともに、
熱交換された前記酸化剤ガスは、前記改質器を加熱した後に前記燃料電池スタックに供給されることを特徴とする燃料電池システム。
【請求項２】
請求項１記載の燃料電池システムにおいて、前記熱交換器の内側に前記改質器が配設されるとともに、
前記熱交換器及び前記改質器は、前記燃料電池スタックの中心軸に対して軸対称に配設されることを特徴とする燃料電池システム。
【請求項３】
請求項２記載の燃料電池システムにおいて、前記熱交換器及び前記改質器は、前記燃料電池スタックに隣接して配設されることを特徴とする燃料電池システム。
【請求項４】
請求項１乃至３のいずれか１項に記載の燃料電池システムにおいて、前記熱交換器から導出される熱交換された前記酸化剤ガスを、前記改質器の周囲に流す通路を形成するための酸化剤ガス通路部材を備えることを特徴とする燃料電池システム。
【請求項５】
請求項１乃至３のいずれか１項に記載の燃料電池システムにおいて、前記熱交換器から導出される熱交換された前記酸化剤ガスを、前記改質器の内部に流すための配管部材を備えることを特徴とする燃料電池システム。
【請求項６】
請求項１乃至５のいずれか１項に記載の燃料電池システムにおいて、前記熱交換器から導出される熱交換された前記排ガスを、前記改質器の周囲に流す通路を形成するための排ガス通路部材を備えることを特徴とする燃料電池システム。
【請求項７】
請求項１乃至６のいずれか１項に記載の燃料電池システムにおいて、前記燃料電池スタックは、積層方向に延在して前記アノード電極に前記燃料ガスを供給するための燃料ガス供給部と、
前記積層方向に延在して前記カソード電極に前記酸化剤ガスを供給するための酸化剤ガス供給部と、
を備え、
前記酸化剤ガス供給部の内側に前記燃料ガス供給部を配置することを特徴とする燃料電池システム。
【請求項８】
請求項７記載の燃料電池システムにおいて、前記酸化剤ガス供給部及び前記燃料ガス供給部は、前記燃料電池スタックの略中央部に設けられることを特徴とする燃料電池システム。
【発明の詳細な説明】
【技術分野】
【０００１】
本発明は、燃料電池スタック、熱交換器及び改質器が筐体に収容される燃料電池システムに関する。
【背景技術】
【０００２】
通常、固体電解質型燃料電池（ＳＯＦＣ）は、電解質に酸化物イオン導電体、例えば、安定化ジルコニアを用いており、この電解質の両側にアノード電極及びカソード電極を配設した電解質・電極接合体（単セル）を、セパレータ（バイポーラ板）によって挟持している。この燃料電池は、通常、単セルとセパレータとが所定数だけ積層された燃料電池スタックとして使用されている。
【０００３】
上記の燃料電池において、カソード電極に酸化剤ガス、例えば、主に酸素を含有するガスあるいは空気（以下、酸素含有ガスともいう）が供給されると、前記カソード電極と電解質との界面でこの酸化剤ガス中の酸素がイオン化され、酸化物イオン（Ｏ2-）が電解質を通ってアノード電極側に移動する。アノード電極には、燃料ガス、例えば、主に水素を含有するガス（以下、水素含有ガスともいう）やＣＯが供給されているために、このアノード電極において、酸化物イオン及び水素（又はＣＯ）が反応して水（又はＣＯ2）が生成される。その間に生じた電子は外部回路に取り出され、直流の電気エネルギとして利用される。
【０００４】
この種の燃料電池として、例えば、特許文献１には、小型化を可能にするとともに、熱損失を可及的に無くすことができる固体酸化物形燃料電池システムが開示されている。この特許文献１の固体酸化物形燃料電池システムは、図１５に示すように、ＳＯＦＣ（固体酸化物形燃料電池）スタック１、触媒燃焼一体型熱交換器２及び予備改質器３が、上下に配列された状態で、断熱容器４内に収容されている。
【０００５】
触媒燃焼一体型熱交換器２は、予備改質器３上に配置される第１熱交換器２ａ、前記第１熱交換器２ａ上に配置される触媒燃焼層２ｂ及び前記触媒燃焼層２ｂ上に配置される第２熱交換器２ｃとを備えている。
【０００６】
燃料は、燃料供給ライン５に沿って移動し、改質された燃料ガスがＳＯＦＣスタック１に供給されるとともに、酸化剤ガスである空気は、空気供給ライン６に沿って移動し、前記ＳＯＦＣスタック１に供給されている。ＳＯＦＣスタック１から排出される排気燃料は、排気燃料ライン７を通って排出される一方、前記ＳＯＦＣスタック１から排出される排気空気は、排気空気ライン８を通って前記排気燃料ライン７の途上に供給されている。
【０００７】
このような構成において、ＳＯＦＣスタック１からの排気燃料及び排気空気は、排気燃料ライン７及び排気空気ライン８を介して触媒燃焼層２ｂに送られている。そして、この触媒燃焼層２ｂで燃焼された燃焼ガスは、第１熱交換器２ａから予備改質器３に供給され、この予備改質器３の加熱源として使用されている。
【０００８】
一方、燃料は、燃料供給ライン５を介して予備改質器３に送られ、改質ガスが生成されている。この改質ガスは、第１熱交換器２ａで燃焼ガスと熱交換を行い、さらに、第２熱交換器２ｃで排気空気との間で熱交換を行った後、ＳＯＦＣスタック１に供給されている。
【０００９】
【特許文献１】特開２００３−２２９１６４号公報（図１８）
【発明の開示】
【発明が解決しようとする課題】
【００１０】
しかしながら、上記の特許文献１では、排気燃料及び排気空気を燃焼させた燃焼ガスが、予備改質器３の加熱源として利用されるため、この予備改質器３が損傷し易いという問題がある。燃焼ガスは、相当に高温であり、水蒸気を含むために予備改質器３を酸化させ易く、耐久性を低下させるからである。このため、予備改質器３は、耐酸化性に優れる高価な材料で構成されており、経済的ではないという問題がある。
【００１１】
本発明はこの種の問題を解決するものであり、燃料電池スタックからの排熱を有効に活用するとともに、経済的な構成で、改質器の耐久性を向上させることが可能な燃料電池システムを提供することを目的とする。
【課題を解決するための手段】
【００１２】
本発明は、電解質をアノード電極とカソード電極とで挟んで構成される電解質・電極接合体とセパレータとが積層される燃料電池を設け、複数の前記燃料電池が積層される燃料電池スタックと、酸化剤ガスを前記燃料電池スタックに供給する前に加熱する熱交換器と、燃料を改質して燃料ガスを生成する改質器と、前記燃料電池スタック、前記熱交換器及び前記改質器を収容する筐体とを備えている。
【００１３】
そして、熱交換器は、燃料電池スタックから排出される排ガスと酸化剤ガスとの間で熱交換を行うとともに、熱交換された前記酸化剤ガスは、改質器を加熱した後に前記燃料電池スタックに供給されている。
【００１４】
また、熱交換器の内側に改質器が配設されるとともに、前記熱交換器及び前記改質器は、燃料電池スタックの中心軸に対して軸対称に配設されることが好ましく、さらに、前記熱交換器及び前記改質器は、前記燃料電池スタックに隣接して配設されることが好ましい。
【００１５】
さらにまた、熱交換器から導出される熱交換された酸化剤ガスを、改質器の周囲に流す通路を形成するための酸化剤ガス通路部材を備えることが好ましく、また、熱交換器から導出される熱交換された前記酸化剤ガスを、前記改質器の内部に流すための配管部材を備えることが好ましい。
【００１６】
さらに、熱交換器から導出される熱交換された排ガスを、改質器の周囲に流す通路を形成するための排ガス通路部材を備えることが好ましい。
【００１７】
さらにまた、燃料電池スタックは、積層方向に延在してアノード電極に燃料ガスを供給するための燃料ガス供給部と、前記積層方向に延在してカソード電極に酸化剤ガスを供給するための酸化剤ガス供給部とを備え、前記酸化剤ガス供給部の内側に前記燃料ガス供給部を配置することが好ましい。さらにまた、酸化剤ガス供給部及び燃料ガス供給部は、燃料電池スタックの略中央部に設けられることが好ましい。
【発明の効果】
【００１８】
本発明によれば、熱交換器により排ガスとの間で熱交換された酸化剤ガスが、改質器を加熱する加熱源として利用される。このため、燃料電池スタックからの排熱を有効に活用することができるとともに、改質器が高温の排ガスに曝されることがなく、前記改質器の耐久性を向上させることが可能になる。これにより、簡単且つ経済的な構成で、所望の改質反応を促進することができる。
【発明を実施するための最良の形態】
【００１９】
図１は、本発明の第１の実施形態に係る燃料電池システム１０の一部断面説明図であり、図２は、前記燃料電池システム１０を構成する燃料電池１１が矢印Ａ方向に複数積層された燃料電池スタック１２の概略斜視説明図である。
【００２０】
燃料電池システム１０は、設置用の他、車載用等の種々の用途に用いられている。燃料電池システム１０は、図１に示すように、燃料電池スタック１２と、酸化剤ガスを前記燃料電池スタック１２に供給する前に加熱する熱交換器１４と、燃料を改質して燃料ガスを生成する改質器１６と、前記燃料電池スタック１２、前記熱交換器１４及び前記改質器１６を収容する筐体１８とを備える。
【００２１】
筐体１８内では、燃料電池スタック１２の一方の側に近接して、少なくとも熱交換器１４及び改質器１６を含む流体部１９が配置されるとともに、前記燃料電池スタック１２の他方の側に、燃料電池１１の積層方向（矢印Ａ方向）に締め付け荷重を付与する荷重付与機構２１が配設される。流体部１９及び荷重付与機構２１は、燃料電池スタック１２の中心軸に対して軸対称に配設される。
【００２２】
燃料電池１１は、固体電解質型燃料電池であり、この燃料電池１１は、図３及び図４に示すように、例えば、安定化ジルコニア等の酸化物イオン導電体で構成される電解質（電解質板）２０の両面に、カソード電極２２及びアノード電極２４が設けられた電解質・電極接合体２６を備える。電解質・電極接合体２６は、円板状に形成されるとともに、内側周端部には、酸化剤ガスの進入を阻止するためにバリアー層（図示せず）が設けられている。
【００２３】
燃料電池１１は、一対のセパレータ２８間に複数、例えば、８個の電解質・電極接合体２６を挟んで構成される。セパレータ２８間には、このセパレータ２８の中心部である燃料ガス供給連通孔（燃料ガス供給部）３０と同心円上に８個の電解質・電極接合体２６が配列される。
【００２４】
セパレータ２８は、図３に示すように、例えば、ステンレス合金等の板金で構成される１枚の金属プレートやカーボンプレート等で構成される。セパレータ２８は、中央部に燃料ガス供給連通孔３０を形成する第１小径端部３２を有する。この第１小径端部３２から外方に等角度間隔ずつ離間して放射状に延在する複数の第１橋架部３４を介して比較的大径な円板部３６が一体的に設けられる。円板部３６は、電解質・電極接合体２６と略同一寸法に設定されている。図３、図５及び図６に示すように、隣り合う円板部３６は、スリット３８を介して互いに分離される。
【００２５】
各円板部３６のアノード電極２４に接触する面３６ａには、前記アノード電極２４の電極面に沿って燃料ガスを供給するための燃料ガス通路４６を形成する第１突起部４８が設けられる（図５参照）。各円板部３６のカソード電極２２に接触する面３６ｂには、前記カソード電極２２の電極面に沿って酸化剤ガスを供給するための酸化剤ガス通路５０を形成する第２突起部５２が設けられる（図６参照）。図７に示すように、第１突起部４８と第２突起部５２は、互いに相反する方向に延在するように突出している。
【００２６】
第１突起部４８は、リング状突起を構成するとともに、第２突起部５２は、山状突起を構成する。山状突起である第２突起部５２は、リング状突起である第１突起部４８に囲繞されるように配置されている。第２突起部５２が突出した面には、第１突起部４８が突出することに対応して陥没した凹部５３が形成されており、前記第２突起部５２は、前記凹部５３内に配置されている。
【００２７】
図８及び図９に示すように、第１及び第２突起部４８、５２は、複数形成されており、前記第１突起部４８の高さＨ１と、前記第２突起部５２の高さＨ２とは、Ｈ１＜Ｈ２の関係に設定される。酸化剤ガス通路５０の容積を燃料ガス通路４６の容積よりも大きくするためである。
【００２８】
なお、第１突起部４８を山状突起で構成する一方、第２突起部５２をリング状突起で構成してもよい。その際、リング状突起の高さを山状突起の高さよりも大きく設定することが好ましい。
【００２９】
図３〜図６に示すように、円板部３６には、燃料ガス通路４６に燃料ガスを供給するための燃料ガス導入口５４が形成される。燃料ガス導入口５４の位置は、燃料ガスが均一に分布するように決められ、例えば、円板部３６の略中心に対応して設定される。
【００３０】
セパレータ２８のカソード電極２２に対向する面には、通路部材５６が、例えば、ろう付けやレーザ溶接等により固着される。通路部材５６は、図３及び図１０に示すように、中央部に燃料ガス供給連通孔３０を形成する第２小径端部５８を備える。この第２小径端部５８から放射状に８本の第２橋架部６０が延在するとともに、各第２橋架部６０は、セパレータ２８の第１橋架部３４から円板部３６の燃料ガス導入口５４まで固着される。
【００３１】
通路部材５６の接合面において、第２小径端部５８には、燃料ガス供給連通孔３０に連通して複数のスリット６２が放射状に形成される。このスリット６２には、第２小径端部５８を周回してろう材の流れを防止し、且つ、燃料ガスの流れを均一にするための凹部６４が連通する。第１及び第２橋架部３４、６０間には、燃料ガス供給連通孔３０からスリット６２及び凹部６４を介して燃料ガス通路４６に連通する燃料ガス供給通路６６が形成される。
【００３２】
図８及び図９に示すように、酸化剤ガス通路５０は、電解質・電極接合体２６の内側周端部と円板部３６の内側周端部との間から矢印Ａ方向に酸化剤ガスを供給する酸化剤ガス供給部６７に連通する。この酸化剤ガス供給部６７は、各円板部３６の内方と第１橋架部３４との間に位置して積層方向に延在している。
【００３３】
各セパレータ２８間には、図８に示すように、燃料ガス供給連通孔３０をシールするための絶縁シール６９が設けられる。絶縁シール６９は、例えば、マイカ材やセラミック材で形成されている。燃料電池１１には、円板部３６の外方に位置して排ガス通路６８が形成される。
【００３４】
図１及び図２に示すように、燃料電池スタック１２は、複数の燃料電池１１の積層方向両端にエンドプレート７０ａ、７０ｂを配置する。エンドプレート７０ａは、略円板状を有しており、外周部に軸線方向に突出してリング状部７２が設けられる。このリング状部７２の外周部には、周回溝部７４が形成される。リング状部７２の中心部に対応して、円柱状凸部７６がこのリング状部７２と同一方向に膨出形成され、前記凸部７６の中央部に孔部７８が形成される。
【００３５】
エンドプレート７０ａには、凸部７６を中心にして同一仮想円周上に孔部８０とねじ孔８２とが、交互に且つ所定の角度間隔ずつ離間して設けられる。図１１に示すように、孔部８０及びねじ孔８２は、第１及び第２橋架部３４、６０同士の間に形成される各酸化剤ガス供給部６７に対応して設けられる。図１に示すように、エンドプレート７０ｂは、エンドプレート７０ａよりも大径に構成されるとともに、導電性の薄板で形成される。
【００３６】
筐体１８は、荷重付与機構２１を収容する第１筐体部８６ａと、燃料電池スタック１２を収容する第２筐体部８６ｂとを備える。第１及び第２筐体部８６ａ、８６ｂ間は、エンドプレート７０ｂ及び前記エンドプレート７０ｂの第２筐体部８６ｂ側に絶縁材を介装してねじ８８及びナット９０により締め付けられる。
【００３７】
第２筐体部８６ｂには、リング状壁板９２の一端部が接合されるとともに、前記壁板９２の他端部には、ヘッド板９４が固着される。流体部１９は、燃料電池スタック１２の中心軸に対して軸対称に配設される。具体的には、略リング状の熱交換器１４の内側に、略円筒状の改質器１６が同軸的に配設される。熱交換器１４及び改質器１６が固定される壁板９６は、エンドプレート７０ａの周回溝部７４に固定され、前記エンドプレート７０ａと前記壁板９６との間にチャンバ９８が形成される。
【００３８】
改質器１６には、燃料ガス供給管１００と改質ガス供給管１０２とが設けられる。燃料ガス供給管１００は、ヘッド板９４を介して外部に延在する一方、改質ガス供給管１０２は、エンドプレート７０ａの孔部７８に嵌挿されて燃料ガス供給連通孔３０に連通する。
【００３９】
ヘッド板９４には、空気供給管１０４と排ガス管１０６とが接続される。筐体１８内には、空気供給管１０４から熱交換器１４を介してチャンバ９８に至る通路１０８と、燃料電池スタック１２の排ガス通路６８から熱交換器１４を介して排ガス管１０６に至る通路１１０とが設けられる。
【００４０】
荷重付与機構２１は、燃料ガス供給連通孔３０の近傍に対して第１締め付け荷重Ｔ１を付与する第１締め付け部１１２ａと、電解質・電極接合体２６に対して前記第１締め付け荷重Ｔ１よりも小さな第２締め付け荷重Ｔ２を付与する第２締め付け部１１２ｂとを備える（Ｔ１＞Ｔ２）。
【００４１】
第１締め付け部１１２ａは、図１、図２及び図１２に示すように、エンドプレート７０ａの一方の対角位置に設けられるねじ孔８２、８２に螺合する短尺な第１締め付けボルト１１４ａ、１１４ａを備える。第１締め付けボルト１１４ａ、１１４ａは、燃料電池１１の積層方向に延在するとともに、第１押圧プレート１１６ａに係合する。第１押圧プレート１１６ａは、幅狭な板状を有しており、燃料ガス供給連通孔３０を覆ってセパレータ２８の中央部に係合する。第１締め付けボルト１１４ａは、セパレータ２８の内部に設けた酸化剤ガス供給部６７内に設けられる。
【００４２】
第２締め付け部１１２ｂは、長尺な第２締め付けボルト１１４ｂ、１１４ｂを備え、前記第２締め付けボルト１１４ｂ、１１４ｂは、エンドプレート７０ａの他方の対角位置に設けられるねじ孔８２、８２に螺合する。第２締め付けボルト１１４ｂ、１１４ｂの端部は、外周湾曲形状の第２押圧プレート１１６ｂを貫通し、この端部にナット１１７が螺合する。第２締め付けボルト１１４ｂは、セパレータ２８の内部に設けた酸化剤ガス供給部６７内に設けられる。第２押圧プレート１１６ｂは、第１押圧プレート１１６ａより積層方向の厚さが薄く設定される。第２押圧プレート１１６ｂの各円弧状部には、燃料電池１１の円板部３６に配置される各電解質・電極接合体２６に対応してスプリング１１８及び台座１１９が配設される。スプリング１１８は、例えば、セラミックススプリングにより構成される。
【００４３】
このように構成される燃料電池システム１０の動作について、以下に説明する。
【００４４】
燃料電池システム１０を組み付ける際には、先ず、図３に示すように、セパレータ２８のカソード電極２２に向かう面に通路部材５６が接合される。このため、セパレータ２８と通路部材５６との間には、燃料ガス供給連通孔３０に連通する燃料ガス供給通路６６が形成されるとともに、前記燃料ガス供給通路６６が燃料ガス導入口５４から燃料ガス通路４６に連通する（図８参照）。セパレータ２８には、燃料ガス供給連通孔３０を周回してリング状の絶縁シール６９が設けられる。
【００４５】
これにより、セパレータ２８が構成され、前記セパレータ２８間には、８個の電解質・電極接合体２６が挟持されて燃料電池１１が得られる。図３及び図４に示すように、各セパレータ２８には、互いに対向する面３６ａ、３６ｂ間に電解質・電極接合体２６が配置され、各アノード電極２４の略中央部に燃料ガス導入口５４が配置される。
【００４６】
上記の燃料電池１１が矢印Ａ方向に複数積層され、積層方向両端にエンドプレート７０ａ、７０ｂが配置される。図１及び図１２に示すように、エンドプレート７０ｂ側には、第１締め付け部１１２ａを構成する第１押圧プレート１１６ａが燃料電池１１の中央部側に対応して配置される。第１押圧プレート１１６ａは、積層方向の荷重を受けるために必要な最小限の大きさでよい。
【００４７】
この状態で、短尺な各第１締め付けボルト１１４ａは、第１押圧プレート１１６ａを貫通してエンドプレート７０ｂ側からエンドプレート７０ａ側に挿入される。第１締め付けボルト１１４ａの先端は、エンドプレート７０ａの一方の対角位置にあるねじ孔８２に螺合する。これにより、燃料電池スタック１２には、燃料ガス供給連通孔３０の近傍に対して第１締め付け荷重Ｔ１が付与される。
【００４８】
次いで、各円板部３６に対応して配置される電解質・電極接合体２６には、それぞれ軸方向にスプリング１１８及び台座１１９が配列されるとともに、一方の台座１１９には、第２締め付け部１１２ｂを構成する第２押圧プレート１１６ｂが係合する。
【００４９】
長尺な各第２締め付けボルト１１４ｂが、第２押圧プレート１１６ｂを貫通してエンドプレート７０ｂ側からエンドプレート７０ａ側に挿入される。第２締め付けボルト１１４ｂの先端は、エンドプレート７０ａの他方の対角位置にあるねじ孔８２に螺合するとともに、前記第２締め付けボルト１１４ｂの端部にナット１１７が螺合する。このため、各電解質・電極接合体２６には、各スプリング１１８の弾性力を介して第２締め付け荷重Ｔ２が付与される。
【００５０】
燃料電池スタック１２は、エンドプレート７０ｂが筐体１８を構成する第１及び第２筐体部８６ａ、８６ｂ間に挟持された状態で、前記第１及び第２筐体部８６ａ、８６ｂがねじ８８及びナット９０により固定される。第２筐体部８６ｂには、流体部１９が接合されており、この流体部１９を構成する壁板９６がエンドプレート７０ａの周回溝部７４に装着される。このため、エンドプレート７０ａと壁板９６との間には、チャンバ９８が形成される。
【００５１】
そこで、燃料電池システム１０では、図１に示すように、燃料ガス供給管１００から燃料（メタン、エタン又はプロパン等）及び必要に応じて水が供給されるとともに、空気供給管１０４から酸化剤ガスである酸素含有ガス（以下、空気ともいう）が供給される。
【００５２】
燃料が改質器１６を通って改質されることにより燃料ガス（水素含有ガス）が得られ、この燃料ガスは、燃料電池スタック１２の燃料ガス供給連通孔３０に供給される。この燃料ガスは、積層方向（矢印Ａ方向）に移動しながら各燃料電池１１を構成するセパレータ２８内のスリット６２を介して燃料ガス供給通路６６に導入される（図８参照）。
【００５３】
燃料ガスは、第１及び第２橋架部３４、６０間を燃料ガス供給通路６６に沿って移動し、円板部３６に形成された燃料ガス導入口５４から燃料ガス通路４６に導入される。燃料ガス導入口５４は、各電解質・電極接合体２６のアノード電極２４の略中心位置に設定されている。このため、燃料ガスは、燃料ガス導入口５４からアノード電極２４の略中心に供給され、燃料ガス通路４６に沿って該アノード電極２４の外周部に向かって移動する（図９参照）。
【００５４】
一方、空気は、図１に示すように、空気供給管１０４から熱交換器１４の通路１０８を通って一旦チャンバ９８に導入される。この空気は、チャンバ９８に連通する孔部８０を通って各燃料電池１１の略中央側に設けられている酸化剤ガス供給部６７に供給される。その際、熱交換器１４では、後述するように、排ガス通路６８に排気される排ガスが通路１１０を通るため、使用前の空気と熱交換が行われ、この空気が予め所望の燃料電池運転温度に加温されている。
【００５５】
酸化剤ガス供給部６７に供給された空気は、電解質・電極接合体２６の内側周端部と円板部３６の内側周端部との間から矢印Ｂ方向に流入し、酸化剤ガス通路５０に送られる。図９に示すように、酸化剤ガス通路５０では、電解質・電極接合体２６のカソード電極２２の内側周端部（セパレータ２８の中央部）側から外側周端部（セパレータ２８の外側周端部側）に向かって空気が流動する。
【００５６】
従って、電解質・電極接合体２６では、アノード電極２４の電極面の中心側から周端部側に向かって燃料ガスが供給されるとともに、カソード電極２２の電極面の一方向（矢印Ｂ方向）に向かって空気が供給される（図９参照）。その際、酸化物イオンが電解質２０を通ってアノード電極２４に移動し、化学反応により発電が行われる。
【００５７】
なお、各電解質・電極接合体２６の外周部に排出される排ガスは、排ガス通路６８を介して積層方向に移動し、熱交換器１４の通路１１０を通って空気との間で熱交換を行った後、排ガス管１０６から排出される。
【００５８】
この場合、第１の実施形態では、熱交換器１４において、燃料電池スタック１２から排出される排ガスと空気（反応前の酸化剤ガス）との間で熱交換が行われるとともに、熱交換されて高温となった前記空気は、チャンバ９８を通ることによって、このチャンバ９８に近接する改質器１６を加熱した後、前記燃料電池スタック１２に供給されている。
【００５９】
すなわち、熱交換器１４により排ガスとの間で熱交換された空気が、改質器１６を加熱するための加熱源として利用されている。従って、燃料電池スタック１２からの排熱を有効に活用することができるとともに、改質器１６が高温の排ガスに曝されることがなく、前記改質器１６の耐久性を向上させることが可能になるという効果が得られる。
【００６０】
これにより、燃料電池システム１０では、簡単且つ経済的な構成で、所望の改質反応を促進することができ、しかも、改質器１６を長期間にわたって良好に使用することが可能になるという利点がある。
【００６１】
また、第１の実施形態では、熱交換器１４の内側に改質器１６が配設されるとともに、前記熱交換器１４及び前記改質器１６は、燃料電池スタック１２の中心軸に対して軸対称に配設されている。
【００６２】
これにより、燃料電池スタック１２内に大きな温度差が生じることがなく、燃料電池１１が熱応力により破損することを阻止して、耐久性の向上が容易に図られる。しかも、改質器１６の断熱性を向上させることが可能になるとともに、燃料電池１１からの排熱（排ガス）を有効に利用することができ、熱効率を高めることが可能になる。
【００６３】
その際、熱交換器１４及び改質器１６は、燃料電池スタック１２に隣接し、さらに改質器１６は、熱交換器１４の内側に配設されている。従って、放熱の抑制が図られるとともに、熱効率の向上が一層容易に遂行される。
【００６４】
さらにまた、燃料電池スタック１２には、酸化剤ガス供給部６７の内側に燃料ガス供給連通孔３０が配設されている。このため、燃料ガス供給連通孔３０の腐食等が抑えられ、前記燃料ガス供給連通孔３０の耐久性が向上するとともに、燃料ガスのリークを抑制することができる。
【００６５】
しかも、燃料ガス供給連通孔３０及び酸化剤ガス供給部６７は、燃料電池スタック１２の略中央部に設けられている。これにより、加熱された空気及び燃料ガスが、燃料電池スタック１２の中央部に供給されるため、各燃料電池１１では、中央部から周辺部に向かって熱が伝達され、熱が有効に使用されて熱効率の向上が図られる。
【００６６】
図１３は、本発明の第２の実施形態に係る燃料電池システム１２０の一部断面説明図である。なお、第１の実施形態に係る燃料電池システム１０と同一の構成要素には同一の参照符号を付して、その詳細の説明は省略する。また、以下に説明する第３の実施形態においても、同様にその詳細な説明は省略する。
【００６７】
燃料電池システム１２０では、熱交換器１４の内側に改質器１６が配設されるとともに、前記改質器１６の外周と前記熱交換器１４の内周とには、矢印Ｂ方向に延在する隔壁１２２が接続される。この隔壁１２２は、実質的にリング状の板材により構成される。
【００６８】
エンドプレート７０ａには、凸部７６と同軸的に且つ同一方向に突出する第１通路部材（酸化剤ガス通路部材）１２４が設けられる。この第１通路部材１２４は、リング状を有しており、矢印Ａ方向に突出する先端が隔壁１２２に近接して配置される。第１通路部材１２４が設けられることにより、筐体１８の内部には、熱交換器１４から導出される熱交換された空気を改質器１６の周囲に流すための第１通路１２６が形成される。この第１通路１２６は、通路１０８と孔部８０とに繋がっている。
【００６９】
隔壁１２２を挟んで第１通路部材１２４に対向する第２通路部材（排ガス通路部材）１２８が配設される。この第２通路部材１２８は、有底円筒形状を有し、その底部中央及び底部一端縁部に、それぞれ燃料ガス供給管１００及び排ガス管１０６が接続される。第２通路部材１２８が設けられることにより、筐体１８の内部には、熱交換器１４から導出される熱交換された排ガスを改質器１６の周囲に流すための第２通路１３０が形成される。この第２通路１３０は、通路１１０と排ガス管１０６とに繋がっている。
【００７０】
このように構成される第２の実施形態では、空気供給管１０４に供給される空気は、熱交換器１４の通路１０８を通って第１通路１２６に供給される。その際、熱交換器１４の通路１１０には、燃料電池スタック１２から排出される排ガスが導入されており、空気との間で熱交換が行われる。
【００７１】
このため、第１通路１２６には、熱交換されて高温となった空気が移動し、改質器１６の周囲を高温の空気が通ることによって、前記改質器１６が良好に加熱される。これにより、燃料電池スタック１２からの排熱を有効に活用するとともに、改質器１６の耐久性を向上させることができる等、第１の実施形態と同様の効果が得られる。
【００７２】
一方、熱交換器１４で熱交換された排ガスは、第２通路部材１２８によって形成される第２通路１３０を通って改質器１６の端部を周回した後、排ガス管１０６から排出される。従って、熱交換器１４で熱交換された排ガスを、改質器１６の加熱用熱源として再利用することができ、排熱を一層有効に活用することが可能になる。
【００７３】
図１４は、本発明の第３の実施形態に係る燃料電池システム１４０の一部断面説明図である。
【００７４】
燃料電池システム１４０では、エンドプレート７０ａに、凸部７６と同軸上に且つ孔部８０を覆って隔壁１４２が設けられる。この隔壁１４２は、リング状を有しており、端部が改質器１６に当接して通路１０８と孔部８０とを遮断する。
【００７５】
改質器１６の内部には、配管部材１４４が配設される。この配管部材１４４は、湾曲する管部材により構成されており、一端部が隔壁１４２の外方に延在して熱交換器１４の通路１０８に連通するとともに、他端部が前記隔壁１４２の内方に位置して孔部８０に連通して配置される。
【００７６】
このように構成される第３の実施形態では、空気供給管１０４から熱交換器１４の通路１０８に供給される空気は、この熱交換器１４の通路１１０を通る排ガスとの間で熱交換されて高温となった後、チャンバ９８に配設される配管部材１４４の一端に導入される。
【００７７】
配管部材１４４は、改質器１６の内部に配置されており、この配管部材１４４を高温の空気が通過することによって、前記改質器１６が内部から加熱される。そして、改質器１６の加熱を行った空気は、配管部材１４４の他端から孔部８０を介して燃料電池スタック１２に供給される。
【００７８】
これにより、第３の実施形態では、燃料電池スタック１２から排出される排ガスとの間で熱交換を行った空気が、配管部材１４４を介して改質器１６の内部を通過するため、前記改質器１６が良好に加熱され、排熱の有効利用が図られる等、第１及び第２の実施形態と同様の効果が得られる。
【００７９】
なお、第３の実施形態では、第２の実施形態と同様に、改質器１６の周囲に熱交換後の排ガスを供給するための第２通路部材（図示せず）を設け、この改質器１６を内部及び外部両側から加熱するように構成してもよい。
【図面の簡単な説明】
【００８０】
【図１】本発明の第１の実施形態に係る燃料電池システムの一部断面説明図である。
【図２】前記燃料電池システムを構成する燃料電池スタックの概略斜視説明図である。
【図３】前記燃料電池スタックを構成する燃料電池の分解斜視説明図である。
【図４】前記燃料電池のガス流れ状態を示す一部分解斜視説明図である。
【図５】前記セパレータの一方の面の説明図である。
【図６】前記セパレータの他方の面の説明図である。
【図７】前記セパレータに形成される第１及び第２突起部の斜視説明図である。
【図８】前記燃料電池スタックの断面図である。
【図９】前記燃料電池の動作を説明する概略断面説明図である。
【図１０】前記セパレータに固着される通路部材の説明図である。
【図１１】前記燃料電池スタックを構成するエンドプレートの正面図である。
【図１２】前記燃料電池システムを構成する荷重付与機構の一部分解斜視説明図である。
【図１３】本発明の第２の実施形態に係る燃料電池システムの一部断面説明図である。
【図１４】本発明の第３の実施形態に係る燃料電池システムの一部断面説明図である。
【図１５】特許文献１の固体酸化物型燃料電池システムの概略説明図である。
【符号の説明】
【００８１】
１０、１２０、１４０…燃料電池システム
１１…燃料電池                    １２…燃料電池スタック
１４…熱交換器                    １６…改質器
１８…筐体                        １９…流体部
２０…電解質                      ２１…荷重付与機構
２２…カソード電極                ２４…アノード電極
２６…電解質・電極接合体          ２８…セパレータ
３０…燃料ガス供給連通孔          ３４、６０…橋架部
３６…円板部                      ４６…燃料ガス通路
４８、５２…突起部                ５０…酸化剤ガス通路
５４…燃料ガス導入口              ５６、１２４、１２８…通路部材
６６…燃料ガス供給通路            ６７…酸化剤ガス供給部
６８…排ガス通路                  ６９…絶縁シール
７０ａ、７０ｂ…エンドプレート    ８６ａ、８６ｂ…筐体部
９２、９６…壁板                  ９８…チャンバ
１００…燃料ガス供給管            １０２…改質ガス供給管
１０４…空気供給管                １０６…排ガス管
１０８、１１０、１２６、１３０…通路
１１２ａ、１１２ｂ…締め付け部    １１４ａ、１１４ｂ…締め付けボルト
１１６ａ、１１６ｂ…押圧プレート  １１８…スプリング
１２２、１４２…隔壁              １４４…配管部材
【図１】
2006179285.tif 000003
【図２】
2006179285.tif 000004
【図３】
2006179285.tif 000005
【図４】
2006179285.tif 000006
【図５】
2006179285.tif 000007
【図６】
2006179285.tif 000008
【図７】
2006179285.tif 000009
【図８】
2006179285.tif 000010
【図９】
2006179285.tif 000011
【図１０】
2006179285.tif 000012
【図１１】
2006179285.tif 000013
【図１２】
2006179285.tif 000014
【図１３】
2006179285.tif 000015
【図１４】
2006179285.tif 000016
【図１５】
2006179285.tif 000017